(57)【特許請求の範囲】
【請求項１】
容器本体に挿入され容器本体内の溶液を容器本体外に吸い出すポンプユニットにおいて、
容器本体内に挿入される吸い込みパイプと、この吸い込みパイプの上部に連通接続した延び方向に復帰可能な蛇腹状のベローズと、ベローズの上部に連通接続してベローズを伸縮させ、前記吸い込みパイプを介して容器本体内の液を容器本体外に吸い出すピストン部とを備えてなり、
前記ベローズの上流側に、容器本体内からベローズ内への液の流入のみを許容する吸い込み弁が設けられ、前記ピストン部の吐出端部に、該ピストン部側から容器本体内側への液の逆流を規制する逆止弁が該吐出端部に移動可能に被着され、
該逆止弁は、その先端部に液を吐出するための開口が形成されるとともに、前記ピストン部内が負圧になると弾性変形により前記開口が圧着し閉塞するよう構成されてなり、
該逆止弁の内部には、前記ピストン部の吐出端部の開口内に嵌合する封止体が、前記逆止弁の移動によって該吐出端部の開口内に挿脱するよう設けられてなることを特徴とするポンプユニット。
【請求項２】
前記ピストン部は、ピストンヘッドとこれに連通したパイプ状のピストンシャフトと該ピストンシャフトを挿通させかつ前記容器本体の口部に取り付けられるブッシュキャップとを有してなり、前記ピストンシャフトとブッシュキャップとの間に、前記ベローズの上端部を保持するベローズ保持部材が設けられ、該ベローズ保持部材に、ピストンシャフトとベローズ保持部材とを係止させてこれらを連結させる係止部が設けられ、前記ピストンヘッドに、前記ブッシュキャップに係合して該ブッシュキャップに前記ピストンヘッドを固定させるための係合部を設けたことを特徴とする請求項１記載のポンプユニット。
【請求項３】
容器本体に挿入され容器本体内の溶液を容器本体外に吸い出すポンプユニットにおいて、
容器本体内に挿入される吸い込みパイプと、この吸い込みパイプの上部に連通接続した延び方向に復帰可能な蛇腹状のベローズと、ベローズの上部に連通接続してベローズを伸縮させ、前記吸い込みパイプを介して容器本体内の液を容器本体外に吸い出すピストン部とを備えてなり、
前記ベローズの上流側に、容器本体内からベローズ内への液の流入のみを許容する吸い込み弁が設けられ、前記ピストン部に、該ピストン部側から容器本体内側への液の逆流を規制する逆止弁が設けられ、
前記ピストン部は、ピストンヘッドとこれに連通したパイプ状のピストンシャフトと該ピストンシャフトに外挿しかつ前記ベローズに連通するパイプ状のシャフトケースとを有してなり、
前記ピストン部に、該ピストン部と前記ベローズとの間の連通を規制してこれを不通にすることを可能とする規制機構が設けられ、
前記規制機構は、該ピストンシャフトとシャフトケースとの互いに連通可能となる位置にそれぞれ開口部が形成され、前記ピストンヘッドが回動されてピストンシャフトとシャフトケースとが相対的に回動させられることにより、前記開口部どうしが連通しあるいは不通となるよう構成されてなることを特徴とするポンプユニット。
【請求項４】
前記逆止弁は、その先端部に液を吐出するための開口が形成されるとともに、前記ピストン部内が負圧になると弾性変形により前記開口が圧着し閉塞するよう構成されてなることを特徴とする請求項３記載のポンプユニット。
【請求項５】
前記ピストン部は、ピストンヘッドとこれに連結したパイプ状のシャフトケースと該シャフトケースを挿通させかつ前記容器本体の口部に取り付けられるブッシュキャップとを有してなり、前記シャフトケースとブッシュキャップとの間に、前記ベローズの上端部を保持するベローズ保持部材が設けられ、該ベローズ保持部材に、シャフトケースとベローズ保持部材とを係止させてこれらを連結させる係止部が設けられ、前記ピストンヘッドに、前記ブッシュキャップに係合して該ブッシュキャップに前記ピストンヘッドを固定させるための係合部を設けたことを特徴とする請求項３又は４に記載のポンプユニット。
【請求項６】
前記請求項１〜請求項５のいずれかに記載のポンプユニットを備えたことを特徴とする容器。
【発明の詳細な説明】
【０００１】
【発明の属する技術分野】
この発明は、例えば、家庭で使用される洗髪剤等のポンプ式容器に用いられるポンプユニット及び容器に関するものである。
【０００２】
【従来の技術】
従来、例えば家庭で使用される洗髪剤や洗剤等を収容するための容器として、ポンプ式の容器が使用されている。このポンプ式の容器は、容器本体とこの容器本体に着脱可能に挿入されるポンプユニットとから構成されている。ポンプユニットは、通常ピストン部を押圧すると、ピストン部が復帰して液を容器本体から吸い上げ、次にピストン部を押すとピストン部の吐出口から液を出すようになっている。
【０００３】
この種のポンプユニットとしては、例えば、特開平１０−１０１１１５号公報、特開平１０−２１１９４７号公報に示されているように、ピストン部を押圧すると縮小する蛇腹管が手を離すと再び伸張する復帰動作を利用して液を蛇腹管内に吸い上げ、更にピストン部を押圧することで蛇腹管を縮小させて蛇腹管内の液を吐出口から出すものがある。そして、このようなピストンの押圧動作、復帰動作に応じて蛇腹管内に液を導き、あるいは、蛇腹管内から液を吐出するために、蛇腹管の上流側と下流側とには吸い込み弁と吐出弁とが設けられている。
【０００４】
【発明が解決しようとする課題】
しかしながら、前記従来のポンプユニットにおいては、容器が転倒した場合に、吸い込み弁や吐出弁が開いてしまうと吐出口から液が外部に流れ出てしまうという問題がある。このような問題を解決するために、従来は吸い込み弁と吐出弁の少なくとも一方を、スリット部を設けた板状の弁として構成し、容器転倒時において流れ出ようとする液をスリット部で最小限に食い止めるようにしているが、このようにするとスリット部における液の流通抵抗が大きくなり操作性が悪化するという問題がある。
そこで、この発明は転倒時における液の流出を確実に防止することができるとともに、操作性についても向上することができる、ポンプユニット及び容器を提供することを目的としている。
【０００５】
【課題を解決するための手段】
本発明のポンプユニットでは、容器本体内に挿入される吸い込みパイプと、この吸い込みパイプの上部に連通接続した延び方向に復帰可能な蛇腹状のベローズと、ベローズの上部に連通接続してベローズを伸縮させ、前記吸い込みパイプを介して容器本体内の液を容器本体外に吸い出すピストン部とを備えてなり、前記ベローズの上流側に、容器本体内からベローズ内への液の流入のみを許容する吸い込み弁が設けられ、前記ピストン部の吐出端部に、該ピストン部側から容器本体内側への液の逆流を規制する逆止弁が該吐出端部に移動可能に被着され、該逆止弁は、その先端部に液を吐出するための開口が形成されるとともに、前記ピストン部内が負圧になると弾性変形により前記開口が圧着し閉塞するよう構成されてなり、該逆止弁の内部には、前記ピストン部の吐出端部の開口内に嵌合する封止体が、前記逆止弁の移動によって該吐出端部の開口内に挿脱するよう設けられてなることを前記課題の解決手段とした。
【０００６】
このポンプユニットによれば、ピストン部の吐出端部に逆止弁を設けたので、該ピストン部側から容器本体内側への液の逆流を規制することが可能になる。また、特に非使用時に逆止弁を移動させて該封止体を吐出端部の開口内に挿入することにより、容器が転倒した場合に液が外部に流れ出てしまうことを防止することが可能になる。さらに、このように液の流出を封止体で防止するようにしたので、従来のごとく逆止弁に液の流出を妨げる機能を持たせる必要がなくなり、したがって該逆止弁の液の流通抵抗を小さくすることが可能になる。
【０００７】
また、本発明の別のポンプユニットでは、容器本体内に挿入される吸い込みパイプと、この吸い込みパイプの上部に連通接続した延び方向に復帰可能な蛇腹状のベローズと、ベローズの上部に連通接続してベローズを伸縮させ、前記吸い込みパイプを介して容器本体内の液を容器本体外に吸い出すピストン部とを備えてなり、前記ベローズの上流側に、容器本体内からベローズ内への液の流入のみを許容する吸い込み弁が設けられ、前記ピストン部に、該ピストン部側から容器本体内側への液の逆流を規制する逆止弁が設けられ、前記ピストン部は、ピストンヘッドとこれに連通したパイプ状のピストンシャフトと該ピストンシャフトに外挿しかつ前記ベローズに連通するパイプ状のシャフトケースとを有してなり、前記ピストン部に、該ピストン部と前記ベローズとの間の連通を規制してこれを不通にすることを可能とする規制機構が設けられ、前記規制機構は、該ピストンシャフトとシャフトケースとの互いに連通可能となる位置にそれぞれ開口部が形成され、前記ピストンヘッドが回動されてピストンシャフトとシャフトケースとが相対的に回動させられることにより、前記開口部どうしが連通しあるいは不通となるよう構成されてなることを前記課題の解決手段とした。
【０００８】
このポンプユニットによれば、ピストン部に逆止弁を設けたので、該ピストン部側から容器本体内側への液の逆流を規制することが可能になる。また、ピストン部に規制機構を設けたので、特に非使用時に該規制機構によってピストン部とベローズとの間の連通を不通にすることにより、容器が転倒した場合に液が外部に流れ出てしまうことを防止することが可能になる。さらに、このように液の流出を規制機構で防止するようにしたので、従来のごとく逆止弁に液の流出を妨げる機能を持たせる必要がなくなり、したがって該逆止弁の液の流通抵抗を小さくすることが可能になる。
【０００９】
本発明の容器では、前記のポンプユニットを備えたことを前記課題の解決手段とした。
この容器によれば、非使用時に逆止弁を移動させて該封止体を吐出端部の開口内に挿入しておき、あるいは規制機構によってピストン部とベローズとの間の連通を不通にしておくことにより、容器が転倒したとしても、液が外部に流れ出てしまうことを防止することが可能になる。
【００１０】
【発明の実施の形態】
以下、本発明を詳しく説明する。
図１は、本発明のポンプユニットを備えた容器の一実施形態を示すものであり、図１中符号１０はポンプユニット、１１は容器である。容器１１は、液状の洗髪剤などが収容される容器本体１２に、ポンプユニット１０が取り付けられて構成されたものである。
【００１１】
容器本体１２は、合成樹脂で成形された有底筒状のもので、上部の口部１２ａの外周に雄ねじ部１３を形成したものである。口部１２ａには、雄ねじ部１３に螺合する雌ねじ部１４を備えた合成樹脂製のブッシュキャップ１５が着脱自在に被着されており、このブッシュキャップ１５が被着されることにより、ポンプユニット１０が容器本体１２に取り付けられるようになっている。ブッシュキャップ１５は、前記雌ねじ部１４を形成した外筒部１５ａと、容器本体１２の口部１２ａ内に挿通されて取り付けられる内筒部１５ｂとを有したものである。内筒部１５ｂは、内外に二重に形成された筒状体であって、その孔（図示せず）内にベローズ保持部材１６の上端部を挿脱可能に内挿したものである。内筒部１５ｂの孔およびベローズ保持部材１６の孔（図示せず）には、後述するようにポンプユニット１０のピストンシャフト１７が摺動可能に挿通されている。
【００１２】
容器本体１２の口部１２ａ内には、容器本体１２内部に向かって取り付けられる合成樹脂製のケース１８が取り付けられており、ブッシュキャップ１５はこのケース１８を介して口部１２ａに取り付けられている。そして、特に内筒部１５ｂは、ケース１８の内周面に嵌着してこれに固定されたものとなっている。また、ケース１８には、空気孔１９が形成され、この空気孔１９により容器本体１２内が、ブッシュキャップ１５の内筒部１５ｂとピストンシャフト１７およびベローズ保持部材１６との間の間隙を通じて外部に連通し、容器本体１２内の液容量の変化に対していわゆる「へこみ」が生ずるのを防止している。また、このブッシュキャップ１５の上部外周には、後述するピストンヘッドの内周面に刻設された雌ねじ部（係合部）と係合する雄ねじ部１５ｃが形成されている。
【００１３】
ポンプユニット１０は、前記ケース１８と、このケース１８内に挿通された状態で配置される合成樹脂製のベローズユニット２０と、このベローズユニット２０に装着される合成樹脂製のピストンシャフト１７およびピストンヘッド２１とを備えてなるものである。ベローズユニット２０は、容器本体１２内に挿入されて容器本体１２内の液を容器本体１２外に吸い出すためのものである。このベローズユニット２０には、容器本体１２内に挿入される吸い込みパイプ２２が設けられている。この吸い込みパイプ２２は、その下端の吸い込み端２２ａが斜めにカットされて形成されたものである。
【００１４】
吸い込みパイプ２２の上端側には、ケース１８内にて延び方向に復帰可能な蛇腹状のベローズ２３が、該吸い込みパイプ２２に連通した状態で接続されている。このベローズ２３は、押圧されることによって容易に圧縮し、内部の容積を減少するとともに、押圧力が解除されると、元の状態すなわち延び方向に容易に復帰し、内部の容積を増加するよう構成された低密度ポリエチレン製のもので、所定のバネ定数を備えたものである。
【００１５】
また、ベローズ２３の上流側、すなわち吸い込みパイプ２２とベローズ２３との間には、容器本体１２からベローズ２３内への液の流入のみを許容する吸い込み弁２４が設けられている。吸い込み弁２４は、吸い込みパイプ２２に一体成形された弁室２５を備えて形成されたものである。
【００１６】
弁室２５内には、吸い込みパイプ２２の吸い込み端２２ａあるいはベローズ２３の上部開口側から挿入可能な弁体２６が挿入されている。この弁体２６は、下流側（ピストンシャフト１７側）に向かって開いたおわん型形状の合成樹脂製のもので、その外周面が弁室２５の内周面に密接することにより、液の逆流を防止するものである。なお、この弁体２６については、弁室２５を閉塞できるものであれば、球状や半球状等のものでもよく、その形状は特に限定されない。
【００１７】
また、弁体２６にはその上流側にロッド部２６ａが形成されており、このロッド部２６ａによって弁体２６はその姿勢が安定するようになっている。さらに、この弁体２６にはその周縁にＶ字状の切欠部２６ｂが形成されており、この切欠部２６ｂによって開弁時に液が速やかに抜け出、ベローズ２３側に流れるようになっている。
【００１８】
ベローズ２３には、その上端側に筒状の圧入部２３ａが形成されており、この圧入部２３ａが前記ベローズ保持部材１６に圧入されたことにより、ベローズ２３は該ベローズ保持部材１６に固着されたものとなっている。ベローズ保持部材１６は、その上筒部１６ａが前述したようにブッシュキャップ１５の内筒部１５ｂ内に挿脱可能に内挿され、下筒部１６ｂにベローズ２３の圧入部２３ａを圧入させたものである。ここで、下筒部１６ｂの内周面には、前記圧入部２３ａの外周面に形成された係合部（例えば突条）に係合する係合部（例えば凹溝）が形成されており、これらが互いに係合し合うことにより、ベローズ２３はベローズ保持部材１６に圧入された状態で固定されたものとなっている。また、このベローズ保持部材１６には、下筒部１６ｂが上筒部１６ａより大径に形成されていることにより、これらの間に段差が形成されている。この段差部は、ブッシュキャップ１５の内筒部１５ｂの下端面に当接することによってベローズ保持部材１６の上昇を停止させる、「抜け止め」として機能するものとなっている。
【００１９】
また、このベローズ保持部材１６の下筒部１６ｂには、その外周面に、外側に延出してケース１８の内周面に摺接する大径部２７が形成されている。この大径部２７には、ケース１８の内周面に対する摺動をスムーズになさせるため、その上下にリップ部（図示せず）が形成されている。また、この大径部２７は、図１に示したように容器本体１２内の液容量の変化を生じさせない非使用状態では、前記空気孔１９を閉塞し、該空気孔１９が無用に開放されることを阻止するものとなっている。
ベローズ保持部材１６の上筒部１６ａには、その内周面に、後述するようにピストンシャフト１７を連結させるための凹溝（係止部）２８が、周方向に沿って上下に２条形成されている。
【００２０】
ピストンシャフト１７は、前記ピストンヘッド２１と一体に形成されてこれに連通したパイプ状のもので、その下端側が、前述したようにベローズ保持部材１６の上筒部１６ａ内およびベローズ２３の圧入部２３ａ内に、それぞれ摺動可能に挿通されたものである。また、このピストンシャフト１７には、その下端側の外周面に前記凹溝２８に係止するための突条２９が２条形成されている。そして、該突条２９、２９がそれぞれ凹溝２８、２８に無理嵌めされて係止することにより、ピストンシャフト１７はベローズ保持部材１６と連結するようになっている。すなわち、ベローズ保持部材１６からピストンシャフト１７を引き出すことにより、凹溝２８、２８に突条２９、２９が係止し、これによって両者が一体化して使用されるようになっているのである。なお、ピストンシャフト１７とベローズ保持部材１６とを連結させる係止部については、着脱が可能な機構であれば前記の凹溝２８と突条２９とによる構成に限定されることなく、例えば雄螺子と雌螺子による機構などとしてもよい。
【００２１】
ピストンヘッド２１は、ヘッド本体２１ａと前記ピストンシャフト１７に連通する吐出管２１ｂとからなるもので、ヘッド本体２１ａには、前述したようにブッシュキャップ１５の雄ねじ部１５ｃに係合する雌ねじ部（係合部）３０が形成されている。なお、このような構成のもとに、本例においては、ピストンヘッド２１とこれに連通したピストンシャフト１７と、該ピストンシャフト１７を挿通させかつ容器本体１２の口部１２ａに取り付けられるブッシュキャップ１５と、ベローズ保持部材１６とからピストン部が構成されている。
【００２２】
吐出管２１ｂは、その先端開口を吐出口とするもので、この吐出口側には、先端側に行くに連れて漸次拡径するテーパ部３１が形成されている。また、この吐出管２１ｂには、その先端部、すなわち吐出端部の外周面に、その周方向に沿って溝３２が２条並列して形成されている。そして、これら溝３２に係合するようにして、この吐出管２１ｂの吐出端部には逆止弁３３が移動可能に被着されている。
【００２３】
逆止弁３３は、ピストン部側から容器本体１２内側に液が逆流するのを規制するためのもので、シリコーン等の弾性材料からなるものであり、吐出管２１ｂに被着される筒部３３ａと実質的に弁として機能する弁部３３ｂとからなるものである。筒部３３ａには、図２（ａ）、（ｂ）に示すようにその内周面に前記溝３２、３２に係合する突条３４が２条形成されており、またその外周面には該逆止弁３３を動かす際に指を引っ掛けるための大径部３５が形成されている。弁部３３ｂは、一対の薄膜リップ３６、３６が、その先端側に行くに連れて漸次近接するように形成されたもので、その先端開口部から容器本体１２内の液を吐出するようにしたものである。なお、薄膜リップ３６、３６はそれぞれの側辺部にて互いに連続しており、したがってこの弁部３３ｂも実質的には筒状のものとなっている。このような構成のもとに逆止弁３３は、前記ピストン部内が負圧になると弾性変形によって薄膜リップ３６、３６が圧着し、先端開口部が閉塞することにより、液の逆流を規制するようになっている。
【００２４】
この逆止弁３３には、その内部に封止体３７が形成されている。この封止体３７は、逆止弁３３と一体成形されてなるもので、前記吐出管２１ｂのテーパ部３１に嵌合して該吐出管２１ｂの開口を封止する封止部３７ａと、この封止部３７ａを逆止弁３３内に取り付け保持するための取付部３７ｂとからなるものである。封止部３７ａは、テーパ部３１に嵌合するように形成された円錐台形状のもので、吐出管２１ｂに対する逆止弁３３の移動により、該吐出管２１ｂのテーパ部３１に挿入されあるいはここから離脱するようになっている。取付部３７ｂは、図２（ｂ）に示すように弁部３３ｂの側部間に形成されて封止部３７ａを取り付け保持したもので、図２（ａ）に示すように弁部３３ｂの形状に沿ってこれの先端側に行くに連れ、漸次幅が狭まるように形成されたものである。このような構成のもとに封止部３７ａおよび取付部３７ｂは、吐出管２１ｂから吐出された液の流れを大きく妨げることなく、この液を逆止弁３３の先端側に案内するようにになっている。
【００２５】
次に、このような構成からなるポンプユニット１０を備えた容器１１の使用方法を説明する。
輸送時などの非使用時においては、図３に示すように予めピストンヘッド２１をベローズ２３の方向、すなわちピストンシャフト１７の突条２９がベローズ保持部材１６の凹溝２８に係止する方向とは逆の方向に位置させておき、その状態でピストンヘッド２１の雌螺子部３０をブッシュキャップ１５の雄螺子部１５ｃに係合させ、ピストンヘッド２１をブッシュキャップ１５に固定する。また、逆止弁３３についても、図３に示したように筒部３３ａの二つの突条３４、３４がそれぞれ吐出管２１ｂの溝３２に係合するように、大径部３５を指等で操作して移動させておき、これにより封止体３７の封止部３７ａをテーパ部３１に嵌合させ、吐出管２１ｂを封止しておく。
【００２６】
このようにしておくことにより、ピストンヘッド２１が押圧されることがないため、内部の液が強制的に送り出されることがなく、また、容器１１が転倒しても、吐出管２１ｂが封止部３７ａに封止されていることにより、容器１１内の液が外部に流れ出すことがない。
また、このときピストンシャフト１７がベローズ保持部材１６に連結していないため、ピストンシャフト１７の押し込み動作がベローズ２３に何らの圧縮方向の力を付与しないため、長時間の輸送の間圧縮されベローズ２３がへたりを生ずるような不具合が発生することもない。
さらに、ピストンシャフト１７が外部に露出しないため、汚れから保護することができる。
【００２７】
次に、利用者が図３に示した状態にある容器１１を使用状態にするには、ピストンヘッド２１をブッシュキャップ１５から外し、さらにピストンシャフト１７をベローズ保持部材１６から引き出してその突条２９、２９をそれぞれベローズ保持部材１６の凹溝２８、２８に係止させ、ベローズ保持部材１６にピストンシャフト１７を連結してこれらベローズ保持部材１６とピストンシャフト１７とを一体化させる。そして、逆止弁３３を吐出管２１ｂの先端側に引き出し、二つの突条３４、３４のうち一つのみが溝３２に係合するようにすることにより、封止部３７ａをテーパ部３１から離脱させて吐出管２１ｂの吐出口を開放する。このようにすることにより、容器１１は図１に示したように使用状態となる。
【００２８】
そして、ピストンヘッド２１を押圧すると、ピストンシャフト１７及びベローズ保持部材１６が下降してベローズ２３が圧縮される。すると、ベローズ２３内の空気は圧縮されるが吸い込み弁２４は閉じるので、ベローズ２３内の空気はピストンシャフト１７の孔内、吐出管２１ｂを経て逆止弁３３の弁部３３ｂから外に吐出される。
【００２９】
続いて、ピストンヘッド２１への押圧を解除すると、ベローズ２３が延び方向に復帰して図１に示した状態に戻ることにより、ベローズ２３内が負圧になる。すると、吸い込み弁２４の弁体２６が上昇して吸い込み弁２４が開き、これにより容器本体１２から吸い込みパイプ２２を経てベローズ２３内に液が吸い込まれ、ベローズ２３内が液で満たされる。
【００３０】
この後、図４に示すように再度ピストンヘッド２１を押圧すると、吸い込み弁２４が閉じることにより、ベローズ２３内の液の容器本体１２側への逆流が阻止される。したがって、容器本体１２側への逆流が阻止された液は、ピストンシャフト１７の孔内、吐出管２１ｂを経て逆止弁３３の弁部３３ｂから外に吐出される。
ここで、続いてピストンヘッド２１への押圧を解除したときには、前述したようにベローズ２３が復帰してベローズ２３内が負圧になり、容器本体１２からベローズ２３内に液が吸い込まれてベローズ２３内が液で満たされるようになるが、その際、吐出管２１ｂの先端部に逆止弁３３が取り付けられていることにより、ピストンヘッド２１側から容器本体１２内側に液が逆流することが防止されている。
なお、以上の操作において、容器本体１２内は空気孔１９を介して容器１１外に連通するようになっているので、容器本体１２内から液が吐出されると、その分の容積に対応する空気が外部から流入し、容器本体１２は「へこみ」が生ずることなくほぼ原型を維持するようになっている。
【００３１】
このようなポンプユニット１０およびこれを用いた容器１１にあっては、ピストンヘッド２１の吐出管２１ｂに逆止弁３３を設けたので、ピストンヘッド２１側から容器本体１２内側に液が逆流することを防止することができる。
また、特に非使用時に逆止弁３３を移動させて封止部３７ａをテーパ部３１内に嵌合させることにより、容器が転倒したような場合にも液が外部に流れ出てしまうことを防止することができる。
さらに、このように液の流出を封止部３７ａで防止するようにしたので、従来のごとく逆止弁３３に液の流出を妨げる機能を持たせる必要がなくなり、したがって逆止弁３３における液の流通抵抗を小さくすることができ、これにより従来に比べ操作性を良好にすることができる。
【００３２】
図５は、本発明のポンプユニットを備えた容器の他の実施形態を示すものであり、図１中符号４０はポンプユニット、４１は容器である。なお、図５に示したポンプユニット４０および容器４１において、図１に示したポンプユニット１０および容器１１と同一の構成要素には、同一の符号を付してその説明を省略する。これらポンプユニット４０および容器４１が図１に示したポンプユニット１０および容器１１と主に異なるところは、逆止弁をピストンヘッド２１の吐出端部でなくピストン部内に設けた点と、このピストン部に、該ピストン部と前記ベローズとの間の連通を規制してこれを不通にすることを可能とする規制機構を設けた点である。
【００３３】
すなわち、このポンプユニット４０および容器４１では、ピストン部が、ピストンヘッド４２と、これに連結したパイプ状のシャフトケース４３と、該シャフトケース４３に内挿されたピストンシャフト４４と、シャフトケース４３を挿通させるブッシュキャップ４５とから構成されており、該ブッシュキャップ４５によってピストン部は、容器本体１２の口部１２ａに取り付けられたものとなっている。
【００３４】
ブッシュキャップ４５は、図６に示すように前記ブッシュキャップ１５と同様に雌ねじ部１４を形成した外筒部１５ａと、容器本体１２の口部１２ａ内に挿通されて取り付けられる内筒部１５ｂとを有しているものの、その上部４５ａには、雄螺子部１５ｃに代えて突条４５ｂを周方向に沿って形成したものとなっている。そして、この突条を形成した上部４５ａには、前記ピストンヘッド４２が着脱可能に被着させられるようになっている。
ピストンヘッド４２は、吐出管４２ａと、これに連通する内筒部４２ｂと、該内筒部４２ｂの外側に形成された外筒部４２ｃとを有したもので、外筒部４２ｃの内周面に前記ブッシュキャップ４５の突条に係合する溝４２ｄを形成したものである。
【００３５】
このピストンヘッド４２には、その内筒部４２ｂに外挿した状態で前記シャフトケース４３が取り付けられている。シャフトケース４３は、ピストンヘッド４２の内筒部４２ｂに対して回動可能に取り付けられたもので、その下端側が、ベローズ保持部材１６の上筒部１６ａ内およびベローズ２３の圧入部２３ａ内に、それぞれ摺動可能に挿通されたものである。このシャフトケース４３には、その下端側の外周面にベローズ保持部材１６の凹溝２８に係止するための突条２９が２条形成されている。そして、該突条２９、２９がそれぞれ凹溝２８、２８に嵌合して係止することにより、シャフトケース４３はベローズ保持部材１６と連結するようになっている。すなわち、ベローズ保持部材１６からシャフトケース４３を引き出すことにより、凹溝２８、２８に突条２９、２９が係止し、これによって両者が一体化して使用されるようになっているのである。
【００３６】
また、このシャフトケース４３には、その下端部に一対の開口４３ａ、４３ａが相対向して形成されており、その外周面には、回り止めとなる突条（図示せず）がシャフトケース４３の長さ方向に沿って形成されている。この突条は、図７（ａ）、（ｂ）に示すように、ブッシュキャップ４５の上部４５ａの内周面に形成された溝４５ｃに摺動可能に係合するもので、これによってシャフトケース４３は、ブッシュキャップ４５に対しその軸方向、すなわち上下方向には移動が可能であるものの、その周方向には回動不能となっている。
また、このシャフトケース４３には、図６に示すようにその内周面に一対の長溝４３ｂ、４３ｂが相対向して形成されている。これら長溝４３ｂ、４３ｂは、シャフトケース４３の上端から下端部側にかけて形成されたもので、後述するピストンシャフト４４の係合突部と係合するものである。
【００３７】
また、このシャフトケース４３内には、ピストンヘッド４２の内筒部４２ｂに内挿された状態でピストンシャフト４４が設けられており、これら内筒部４２ｂとピストンシャフト４４との間には逆止弁４６が設けられている。ピストンシャフト４４は、底部が閉塞されてなる有底円筒状のもので、その上部が内筒部４２ｂの下端部に内挿されてここに一体に固定されたものである。ここで、ピストンヘッド４２の内筒部４２ｂの内径は、その下端部側が上端部側に比べ大きくなっており、したがってこれらの間に段差部が形成されている。そして、この段差部において、該段差部とピストンシャフト４４との間に挟持された状態で逆止弁４６が固定されているのである。
【００３８】
逆止弁４６は、図１に示した逆止弁３３に比べ、内部に封止体３７を有していない点以外はほぼ同じ構成からなるもので、筒部４６ａと弁部４６ｂとから構成されたものである。筒部４６ｂには、その下端部に大径部４６ｃが形成されており、該大径部４６ｃが前記段差部とピストンシャフト４４との間に挟持されたことにより、逆止弁４６は前述したようにピストンヘッド４２の内筒部４２ｂ内に固定されたものとなっている。弁部４６ｂは、図１に示した逆止弁３３の弁部３３ｂと同様に一対の薄膜リップ（図示せず）からなるもので、その先端側に行くに連れて漸次近接するように形成されたものである。そして、このような構成によって逆止弁４６は、ピストン部内のピストンシャフト４４側が負圧になると、弾性変形によって薄膜リップが圧着し、先端開口部が閉塞することにより、液の逆流を規制するようになっている。
【００３９】
前記ピストンシャフト４４には、その中間部の外周面に一対の係合突部４４ａが形成されている。これら係合突部４４ａ、４４ａは、それぞれが前記ピストンシャフト４４の長溝４３ｂ、４３ｂに係合したものである。また、これら係合突部４４ａは、図８に示すように長溝４３ｂの幅より狭い幅に形成されたもので、これによってピストンシャフト４４は、該長溝４３ｂの幅方向、すなわちピストンシャフト４４の周方向に一定距離だけ回動可能となっている。
【００４０】
また、ピストンシャフト４４には、その下端部に一対の開口４４ｂ、４４ｂが形成されている。これら開口４４ｂ、４４ｂは、前記シャフトケース４３の開口４３ａ、４３ａに対応して配置された円形のもので、ピストンシャフト４４が回動させられて前記係合突部４４ａが図８中の矢印で示すＯＰＥＮ方向に移動させられた際、図９（ａ）に示すようにシャフトケース４３の開口４３ａに重なり、係合突部４４ａが図８中の矢印で示すＣＬＯＳＥ方向に移動させられた際、図９（ｂ）に示すようにシャフトケース４３の開口４３ａには重ならずに該シャフトケース４３で閉塞されるように構成されたものである。なお、これらシャフトケース４３とこれに内挿されたピストンシャフト４４とにより、ピストン部とベローズ２３との間の連通を規制してこれを不通にすることを可能とする、本発明の規制機構が構成されている。
【００４１】
次に、このような構成からなるポンプユニット４０を備えた容器４１の使用方法を説明する。
輸送時などの非使用時においては、図１０に示すように予めピストンヘッド４２をベローズ２３の方向、すなわちシャフトケース４３の突条２９がベローズ保持部材１６の凹溝２８に係止する方向とは逆の方向に位置させておき、その状態でピストンヘッド４２の外筒部４２ｃに形成した溝を、ブッシュキャップ４５の上部４５ａに形成した突条に係合させ、ピストンヘッド４２をブッシュキャップ４５に固定する。また、ピストンヘッド４２を回動してこれに固定されたピストンシャフト４４を回動し、図９（ｂ）に示したようにピストンシャフト４４の開口４４ｂがシャフトケース４３で閉塞されるようにしておく。
【００４２】
このようにしておくことにより、ピストンヘッド４２が押圧されることがないため、内部の液が強制的に送り出されることがない。また、容器４１が転倒しても、ピストンシャフト４４の開口４４ｂがシャフトケース４３で閉塞されていることにより、ベローズ２３内とピストンシャフト４４内とが連通しておらず、したがってベローズ２３内や容器本体１２内の液が外部に流れ出すことがない。
また、このときシャフトケース４３がベローズ保持部材１６に連結していないため、シャフトケース４３の押し込み動作がベローズ２３に何らの圧縮方向の力を付与しないため、長時間の輸送の間圧縮されベローズ２３がへたりを生ずるような不具合が発生することもない。
さらに、ピストンシャフト４４が外部に露出しないため、汚れから保護することができる。
【００４３】
次に、利用者が図１０に示した状態にある容器４１を使用状態にするには、ピストンヘッド４２をブッシュキャップ４５から外し、さらにピストンヘッド４２を操作してシャフトケース４３をベローズ保持部材１６から引き出し、その突条２９、２９をそれぞれベローズ保持部材１６の凹溝２８、２８に係止させ、ベローズ保持部材１６にシャフトケース４３を連結してこれらベローズ保持部材１６とシャフトケース４３とを一体化させる。そして、ピストンヘッド４２を回動してこれに固定されたピストンシャフト４４を回動し、図９（ａ）に示したようにピストンシャフト４４の開口４４ｂをシャフトケース４３の開口４３ａに重ね合わせ、これによりベローズ２３内とピストンシャフト４４内とを連通させる。このようにすることにより、容器４１は使用状態となる。
【００４４】
そして、ピストンヘッド４２を押圧すると、シャフトケース４３、ピストンシャフト４４及びベローズ保持部材１６が下降してベローズ２３が圧縮される。すると、ベローズ２３内の空気は圧縮されるが吸い込み弁２４は閉じるので、ベローズ２３内の空気はピストンシャフト４４の孔内、逆止弁４６、ピストンヘッド４２の吐出管４２ａを経て外に吐出される。
【００４５】
続いて、ピストンヘッド４２への押圧を解除すると、ベローズ２３が延び方向に復帰し、ベローズ２３内が負圧になる。すると、吸い込み弁２４の弁体２６が上昇して吸い込み弁２４が開き、これにより容器本体１２から吸い込みパイプ２２を経てベローズ２３内に液が吸い込まれ、ベローズ２３内が液で満たされる。
【００４６】
この後、図１１に示すように再度ピストンヘッド４２を押圧すると、吸い込み弁２４が閉じることにより、ベローズ２３内の液の容器本体１２側への逆流が阻止される。したがって、容器本体１２側への逆流が阻止された液は、ピストンシャフト４４の孔内、逆止弁４６、ピストンヘッド４２の吐出管４２ａを経て外に吐出される。
ここで、続いてピストンヘッド４２への押圧を解除したときには、前述したようにベローズ２３が復帰してベローズ２３内が負圧になり、容器本体１２からベローズ２３内に液が吸い込まれてベローズ２３内が液で満たされるようになるが、その際、ピストンヘッド４２の内筒部４２ｂ内に逆止弁４６が取り付けられていることにより、ピストンヘッド４２側から容器本体１２内側に液が逆流することが防止されている。
なお、以上の操作においても、容器本体１２内は空気孔１９を介して容器１１外に連通するようになっているので、容器本体１２内から液が吐出されると、その分の容積に対応する空気が外部から流入し、容器本体１２は「へこみ」が生ずることなくほぼ原型を維持するようになっている。
【００４７】
このようなポンプユニット４０およびこれを用いた容器４１にあっては、ピストンヘッド４２の内筒部４２ｂ内に逆止弁４６を設けたので、ピストンヘッド４２側から容器本体１２内側に液が逆流することを防止することができる。
また、特に非使用時にピストンヘッド４２を回動してこれに固定されたピストンシャフト４４を回動し、ピストンシャフト４４の開口４４ｂをシャフトケース４３で閉塞させることにより、容器が転倒したような場合にも液が外部に流れ出てしまうことを防止することができる。
さらに、このように液の流出をシャフトケース４３とピストンシャフト４４とからなる規制機構によって防止するようにしたので、従来のごとく逆止弁４６に液の流出を妨げる機能を持たせる必要がなくなり、したがって逆止弁４６における液の流通抵抗を小さくすることができ、これにより従来に比べ操作性を良好にすることができる。
【００４８】
【発明の効果】
以上説明したように本発明のポンプユニットは、ピストン部の吐出端部に逆止弁を設けたものであるから、該ピストン部側から容器本体内側への液の逆流を規制してこれを防止することができる。
また、特に非使用時に逆止弁を移動させて該封止体を吐出端部の開口内に挿入することにより、容器が転倒した場合に液が外部に流れ出てしまうことを防止することができる。
さらに、このように液の流出を封止体で防止するようにしたので、従来のごとく逆止弁に液の流出を妨げる機能を持たせる必要がなくなり、したがって該逆止弁の液の流通抵抗を小さくすることができ、これにより従来に比べ操作性を良好にすることができる。
【００４９】
本発明の別のポンプユニットは、ピストン部に逆止弁を設けたものであるから、該ピストン部側から容器本体内側への液の逆流を規制してこれを防止することができる。
また、ピストン部に規制機構を設けたので、特に非使用時に該規制機構によってピストン部とベローズとの間の連通を不通にすることにより、容器が転倒した場合に液が外部に流れ出てしまうことを防止することができる。
さらに、このように液の流出を規制機構で防止するようにしたので、従来のごとく逆止弁に液の流出を妨げる機能を持たせる必要がなくなり、したがって該逆止弁の液の流通抵抗を小さくすることができ、これにより従来に比べ操作性を良好にすることができる。
【００５０】
本発明の容器は、非使用時に逆止弁を移動させて該封止体を吐出端部の開口内に挿入しておき、あるいは規制機構によってピストン部とベローズとの間の連通を不通にしておくことにより、容器が転倒したとしても、液が外部に流れ出てしまうことを防止することができる。
【図面の簡単な説明】
【図１】  本発明のポンプユニットを備えた容器の一実施形態の概略構成を示す側断面図である。
【図２】  逆止弁の概略構成を示す図であり、（ａ）は側断面図、（ｂ）は（ａ）のＡ−Ａ線矢視断面図である。
【図３】  図１に示した容器の、輸送時などの非使用時において液漏れを防止したときの状態を示す側断面図である。
【図４】  図１に示した容器の、使用状態を説明するための側断面図である。
【図５】  本発明の別のポンプユニットを備えた容器の一実施形態の概略構成を示す側断面図である。
【図６】  図５の要部拡大図である。
【図７】  （ａ）、（ｂ）はブッシュキャップの概略構成を示す図であり、（ａ）は側断面図、（ｂ）は（ａ）のＢ−Ｂ線矢視断面図である。
【図８】  シャフトケースとピストンシャフトとの係合状態を説明するための平断面図である。
【図９】  シャフトケースの開口とピストンシャフトの開口との位置関係を説明するため図であり、（ａ）は開口が重なっている状態を示す図、（ｂ）はピストンシャフトの開口がシャフトケースで閉塞されている状態を示す図である。
【図１０】  図５に示した容器の、輸送時などの非使用時において液漏れを防止したときの状態を示す側断面図である。
【図１１】  図５に示した容器の、使用状態を説明するための側断面図である。
【符号の説明】
１０…ポンプユニット、１１…容器、１２…容器本体、１２ａ…口部、
１５…ブッシュキャップ、１６…ベロース保持部材、１７…ピストンシャフト、
２１…ピストンヘッド、２１ｂ…吐出管、２２…吸い込みパイプ、
２３…ベローズ、２４…吸い込み弁、２８…凹溝（係止部）、２９…突条、
３３…逆止弁、３７…封止体、４０…ポンプユニット、４１…容器、
４２…ピストンヘッド、４３…シャフトケース、４４…ピストンシャフト、
４５…ブッシュキャップ、４６…逆止弁
【図１】
0003673205.tif 000002
【図２】
0003673205.tif 000003
【図３】
0003673205.tif 000004
【図４】
0003673205.tif 000005
【図５】
0003673205.tif 000006
【図６】
0003673205.tif 000007
【図７】
0003673205.tif 000008
【図８】
0003673205.tif 000009
【図９】
0003673205.tif 000010
【図１０】
0003673205.tif 000011
【図１１】
0003673205.tif 000012